(57)【要約】【課題】  遊技に関わる表示を行う表示装置の取り付け及び取り外しの作業性を向上する。【解決手段】  パチンコ機２にリールユニット２０を取り付ける場合、リールユニット２０を遊技盤４に沿って下方に移動させながら第１突出部材２３と係合片２５とが係合させる。第１突出部材２３と係合片２５とを係合させると、切り欠き２４ａが係合突起２６に係合する。この後、リールユニット２０を、第１突出部材２３と係合片２５とが係合した部分を支点として、切り欠き２４ａに係合突起２８を挿通させながら、第２突出部材２４が球通路セット盤１６に近づくように回動させる。第２突出部材２４と係止爪２７とが係合する。【選択図】        図５
2005058427.tif 000002
【特許請求の範囲】
【請求項１】
遊技に関わる表示を行う表示部を有する表示装置と、背後に前記表示装置が取り付けられ、前記表示装置を取り付けたときに前記表示部を前側に露呈させる開口が形成された遊技盤とを備えた遊技機において、
前記表示装置の外周面に、互いに逆方向に突出するように形成された第１突出部材及び第２突出部材を設けるとともに、前記第１突出部材及び前記第２突出部材の少なくともいずれか一方の一部に切り欠きを形成し、
前記表示装置を前記遊技盤の盤面と略平行に沿う方向に移動させた際に、前記第１突出部材と係合する第１係合部材と、
前記盤面と略垂直な方向に突出し、この突出した部分の先端部がその根本を支点に変位するように形成され、所定の力が加えられると前記第２突出部材と係合可能とする形状に形成された第２係合部材と、
前記第１突出部材と第１係合部材及び前記第２突出部材と前記第２係合部材とを係合させるときに前記切り欠きと係合し、前記表示装置を前記開口から露呈させる位置に位置決めする第３係合部材とを前記遊技盤の背後に設け、
前記第１突出部材と前記第１係合部材とを係合させるとともに、前記第２突出部材と前記第２係合部材とを係合させると、前記切り欠きと前記第３係合部材とが係合し、前記表示部が前記開口から前記遊技盤の前側に露呈されるように取り付けられるようにしたことを特徴とする弾球遊技機。
【請求項２】
前記第１突出部材及び前記第２突出部材は、板状に形成され、かつ前記表示部の前記開口から露呈される部分よりも前側に位置しないように前記表示装置の外周面から突設されていることを特徴とする請求項１記載の遊技機。
【請求項３】
前記遊技盤の背後に、遊技媒体を遊技盤の前側から後側の所定の場所へ誘導する通路を有する遊技媒体誘導部材を設け、前記第１係合部材、前記第２係合部材、前記第３係合部材を前記遊技媒体誘導部材に設けたことを特徴とする請求項１又は２記載の弾球遊技機。
【発明の詳細な説明】
【技術分野】
【０００１】
本発明は、パチンコ店等の遊技場に設置して使用されるパチンコ機等の弾球遊技機に関するものである。
【背景技術】
【０００２】
本明細書中では、遊技媒体としてパチンコ球を用いて説明するが、遊技媒体としてはメダルなどの他の媒体も含む。また、遊技盤に設けられた入賞口にパチンコ球が入ることを入賞とする。
【０００３】
弾球遊技機の１つであるパチンコ機は遊技盤を備えている。遊技盤の前面には、パチンコ球が打ち出される遊技領域が設けられており、遊技盤の背面（背後）には、板状のベースに球通路を形成するための突起が形成され、遊技領域の入賞口に入賞したパチンコ球を、遊技盤の背面側の所定の場所に誘導する遊技媒体誘導部材（以下、球通路セット盤と称する）が設けられている。球通路セット盤には、遊技に関わる表示を行う表示部を有する表示装置（例えば液晶パネルを用いて遊技に関わる表示を行う液晶タイプの表示装置やリールを回転及び停止させて遊技に関わる表示を行うリール駆動タイプの表示装置など）やパチンコ球を前記所定の場所に誘導するための通路が形成された球通路形成部材などを備えている。表示装置には、装置内部に組み込まれた液晶パネルやリールを外部から観察可能とする観察窓などが表示部として設けられており、遊技盤及び球通路セット盤に形成された開口から遊技盤の前側に露呈される。
【発明の開示】
【発明が解決しようとする課題】
【０００４】
ところで、上記のようなパチンコ機は、機種の入れ替えを行う場合、設置されていた古い機種と新たな機種とを機種ごと全て入れ替えることが一般的である。しかし、パチンコ機を構成する部品には機種に関わらない共通の部品が含まれているため、機種ごと全てを交換してしまうと交換する必要のない部品まで交換することになって機種の入れ替えに伴うコストが上昇する原因となる。このため、パチンコ機を交換部と据え置き部とから構成し、据え置き部を機種に関わらず再利用できる共通の部品、交換部を新たな機種に対応した交換が必要な部品で構成することによって、機種の入れ替えを行う際に、交換部のみを入れ替えることが検討されている。
【０００５】
この場合、交換部を、遊技盤と球通路セット盤とからなる遊技盤ユニット、据え置き部を、遊技盤ユニットが取り付けられる本体枠、基本動作（パチンコ玉の打ち出しや入賞による払い出し）を行うための装置、ランプ及びスピーカーなどの遊技の演出を行うための装置などで構成することが考えられる。
【０００６】
しかしながら、上記のようなパチンコ機では、表示装置が遊技盤ユニットに設けられているため、遊技盤ユニットを交換すると前述した表示装置までも交換しなければならないが、表示装置は、これを駆動させるためのプログラムが書き込まれたＲＯＭを交換するなど、ソフト的な変更を行えば再利用することができ、また、表示装置は液晶パネルやリールを回転させるための機構が組み込まれ、他の交換部品に比べて高価であるため、表示装置を交換の対象とすると効果的にコストダウンを行うことができない。このため、表示装置を本体枠に設けて表示装置を交換しないようにすることが考えられるが、機種によって表示装置を露呈させるための遊技盤及び球通路セット盤の開口の位置が異なるため、表示装置の位置を調整する機構及びこの調整を行う作業が必要となりパチンコ機の製造時のコストが上昇してしまう。よって、機種の入れ替え時に取り外された遊技盤ユニットから表示装置を取り外し、取り外した表示装置を新たな機種の遊技盤ユニットに取り付けて再利用することが検討されているが、表示装置は遊技盤ユニットに対して工具を用いてビスなどによって取り付けられているため、取り付け及び取り外しの作業性が悪く、さらに、遊技盤及び球通路セット盤に形成された開口に対して位置決めしながらの取り付けは非常に困難であった。
【０００７】
本発明は、上記問題点を解決するためになされたものであり、遊技に関わる表示を行う表示装置の取り付け及び取り外しの作業性を向上させることができるようにした弾球遊技機を提供することを目的とする。
【課題を解決するための手段】
【０００８】
本発明の弾球遊技機は、遊技に関わる表示を行う表示部を有する表示装置と、背後に前記表示装置が取り付けられ、前記表示装置を取り付けたときに前記表示部を前側に露呈させる開口が形成された遊技盤とを備えた遊技機において、前記表示装置の外周面に、互いに逆方向に突出するように形成された第１突出部材及び第２突出部材を設けるとともに、前記第１突出部材及び前記第２突出部材の少なくともいずれか一方の一部に切り欠きを形成し、前記表示装置を前記遊技盤の盤面と略平行に沿う方向に移動させた際に、前記第１突出部材と係合する第１係合部材と、前記盤面と略垂直な方向に突出し、この突出した部分の先端部がその根本を支点に変位するように形成され、所定の力が加えられると前記第２突出部材と係合可能とする形状に形成された第２係合部材と、前記第１突出部材と第１係合部材及び前記第２突出部材と前記第２係合部材とを係合させるときに前記切り欠きと係合し、前記表示装置を前記開口から露呈させる位置に位置決めする第３係合部材とを前記遊技盤の背後に設け、前記第１突出部材と前記第１係合部材とを係合させるとともに、前記第２突出部材と前記第２係合部材とを係合させると、前記切り欠きと前記第３係合部材とが係合し、前記表示部が前記開口から前記遊技盤の前側に露呈されるように取り付けられるようにしたものである。
【０００９】
なお、前記第１突出部材及び前記第２突出部材は、板状に形成され、かつ前記表示部の前記開口から露呈される部分よりも前側に位置しないように前記表示装置の外周面から突設されていることが好ましい。
【００１０】
また、前記遊技盤の背後に、遊技媒体を遊技盤の前側から後側の所定の場所へ誘導する通路を有する遊技媒体誘導部材を設け、前記第１係合部材、前記第２係合部材、前記第３係合部材を前記遊技媒体誘導部材に設けることが好ましい。
【発明の効果】
【００１１】
本発明の弾球遊技機は、表示装置の第１突出部材と遊技盤の背後に設けられた第１係合部材とを係合させるとともに、表示装置の第２突出部材と遊技盤の背後に設けられた第２係合部材とを係合させると、第１突出部材及び第２突出部材の少なくともいずれか一方に形成された切り欠きと遊技盤の背後に設けられた第３係合部材とが係合し、表示装置の表示部が遊技盤の開口から遊技盤の前面側に露呈されるように表示装置が遊技盤に対して位置決めされて取り付けられるようにしたので、工具を用いることなく表示装置の交換を行うことが可能になり、表示装置の取り付け及び取り外しの作業性を向上させることができる。
【００１２】
また、前記第１突出部材及び前記第２突出部材は、板状に形成され、かつ前記表示部より前側に位置しないように突設されているので、前記表示装置を遊技盤の背後から取り付けた場合に、これにより、前記表示部を前記遊技盤の前面側に突出させることができる。
【００１３】
また、前記遊技盤の背後に、遊技媒体を遊技盤の前側から背後側の所定の場所へ誘導する通路を有する遊技媒体誘導部材を設け、前記第１係合部材、前記第２係合部材、前記第３係合部材を前記遊技媒体誘導部材に設けたので、前記遊技媒体誘導部材を樹脂などの可塑性の材料を用いて形成すれば、各部材を一体に成型することが可能になり、各部材を設けることによるコストを抑えることができる。
【発明を実施するための最良の形態】
【００１４】
図１及び図２に示すように、パチンコ機２の本体枠３には遊技盤ユニット４が着脱自在に取り付けられており、本体枠３の前面側（前側）には前面枠５が開閉自在に設けられている。遊技盤ユニット４は遊技盤４ａと後述する球通路セット盤（遊技媒体誘導部材）１６（図３参照）とから構成されている。前面枠５の中央には開口５ａが形成されており、開口５ａは前面枠５に背面側から着脱自在に取り付けられるガラス枠６に嵌め込まれたガラス板７により遮蔽されている。
【００１５】
本体枠３の下部には、供給皿８及び操作ハンドル９が設けられている。供給皿８は、遊技で使用するパチンコ球（遊技媒体）を貯留してパチンコ機２の内部へ供給させる他、入賞が発生した際に払い出されたパチンコ球が貯留される。操作ハンドル９が回動操作されると、供給されたパチンコ球の打ち出しを開始するとともに、パチンコ球の打ち出し強さが調節される。
【００１６】
遊技盤４ａは、その前面側に遊技領域４ｂを備えており、供給されたパチンコ球が遊技領域４ｂに打ち出される。遊技盤４ａの遊技領域４ｂ内には図柄表示装置１０が設けられている。図柄表示装置１０は遊技盤４ａの開口４ｃから露呈されている。露呈された図柄表示装置１０の表示面からは、所定の入賞口へのパチンコ球の入賞を契機に行われる抽選の結果に基づいて、様々な図柄やキャラクタなどの変動表示が所定時間行われた後に変動させた図柄の停止表示が行われ、当たり又はハズレを決定する前記抽選の結果が表示（メイン表示）される。
【００１７】
遊技盤４ａの遊技領域４ｂ内で図柄表示装置１０の側方に位置するように開口４ｄが形成されており、開口４ｄからは外周に複数種類の図柄が配列されたリール（回転式表示手段）１１の表示面が露呈している。リール１１は、図柄表示装置１０で実行される図柄やキャラクタの変動表示の態様に基づいて回転及び停止され、例えば当たり又はハズレを決定する抽選の結果を事前に示唆する信頼度やその結果に応じた予告変動の表示、リーチ状態（最後に停止される図柄を残して他の図柄が停止された状態となり、かつ、変動表示中の図柄が停止されたときに当たりとなり得る状態）が発生することを予告する表示などの演出表示（サブ表示）が行われる。遊技盤４ａの遊技領域４ｂ内には、開口４ｄ及び開口４ｃから露呈された図柄表示装置１０及びリール１１の他に、様々な種類の入賞口１２及びアウト口１３が設けられている。なおリール１１を用いて適宜の表示を行ってよい。
【００１８】
遊技者は、供給皿８にパチンコ球を投入して該パチンコ球をパチンコ機２の内部に設けた発射装置へと供給し、操作ハンドル９を回動操作して、遊技領域４ｂ内の上方到達するようにパチンコ球を打ち出す。打ち出されたパチンコ球は遊技領域４ｂの上方から流下する途中でいずれかの入賞口１２に入るか、あるいはアウト口１３から回収される。なお、遊技盤４ａの遊技領域４ｂ内に設けられている複数の釘、風車などの構造物はパチンコ機２における構成として公知であるので説明は省略する。
【００１９】
図３に示すように、遊技盤４ａの背後には、遊技盤４ａの背面を覆う板状の球通路セット盤１６が設けられている。球通路セット盤１６には、図柄表示装置１０が組み付けられる組み付け部（図示せず）が設けられており、この組み付け部に図柄表示装置１０が固定されている。球通路セット盤１６が遊技盤４ａの背面に取り付けられると、図柄表示装置１０が球通路セット盤１６に設けられた開口及び遊技盤４ａの開口４ｄから遊技盤４ａの前側に露呈される。また、球通路セット板１６には、球通路形成部材１７が取り付けられている。詳しくは図示しないが、球通路形成部材１７の遊技盤４ａへの取付面には複数の突起が形成され、その断面がコの字形状に形成されており、突起同士の隙間と遊技盤４ａの背面とで囲まれた部分が、遊技盤４ａの入賞口１２に入賞したパチンコ球やアウト口１３から回収された球を所定の場所へ誘導する通路としている。
【００２０】
球通路セット盤１６の図柄表示装置１０の側方には、後述するリールユニット２０を取り付けるための取付け台１８が設けられいる。取付け台１８には、リール１１の表示面を遊技盤４の前面側に露呈するための開口１９が形成されている。
【００２１】
図４に示すように、リールユニット（表示装置）２０は、球通路セット盤１６に取り付けられている制御装置によって制御されるステッピングモータの駆動軸に固着されたリール１１と、リール１１が収納された略円筒形状の収納部材２１とから構成されている。収納部材２１の外周面の一部分には、リール１１の外周に配列された図柄を外部に露呈して表示する観察窓（表示部）２２が形成されている。また、収納部材２１の外周面には互いに対向するように逆方向に突出するように配置された板状の第１突出部材２３及び第２突出部材２４が設けられている。第１突出部材２３及び第２突出部材２４は、観察窓２２より前側に位置しないように突設されているため、リールユニット２０が球通路セット盤１６に取り付けられると、観察窓２２が開口１９から突出し、遊技盤４ａから露呈される。また、第１突出部材２３の突出方向側の端部中央には切り欠き２３ａ、第２突出部材２４の突出方向側の端部中央には切り欠き２４ａが形成されている。切り欠き２３ａ及び切り欠き２４ａは矩形になるように切り欠かれている。
【００２２】
図５及び図６に示すように、球通路セット盤１６の背面で開口１９の下方には、一対の係合片（第１係合部材）２５が左右に設けられている。係合片２５は、縦断面及び横断面の形状がともに略Ｌ字状となるように形成され、上方及び側方が開放されている。そして、係合片２５は互いの側方の開放された部分が向き合うように配置されている。開口１９の下方でかつ係合片２５同士の間の略中央には、係合突起（第３係合部材）２６が突設されている。係合突起２６は、球通路セット盤１６の背面から矩形状に突出して形成され、下方が開放されたコの字形状に形成されている。係合突起２６の外周寸法は切り欠き２３ａの内周の寸法よりも一回り小さくなるように形成されている。
【００２３】
球通路セット盤１６の背面で開口１９の上方には、一対の係止爪（第２係合部材）２７が左右に設けられている。係止爪２７は遊技盤４の盤面と略垂直な方向で球通路セット盤１６の背面側に突出する突出部２７ａを有している。係止爪２７は弾性を有する樹脂などの可塑性を持った材料によって形成されている。突出部２７ａの先端部分には係止部２７ｂが一体的に形成されている。係止部２７ｂには、ガイド面２７ｃと係止面２７ｄとが設けられている。ガイド面２７ｃは係止部２７ｂの先端面側に設けられており、球通路セット盤１６の背面に向かって傾斜するように形成されている。係止面２７ｄは球通路セット盤１６の背面に対して略平行となるように形成されている。開口１９の上方でかつ左右の係止爪２７の間の略中央には、係合突起（第３係合部材）２８が突設されている。係合突起２８は、球通路セット盤１６の背面から矩形状に突出して形成され、その下方は円弧状に形成されている。係合突起２８の外周寸法は、矩形状に切り欠かれた切り欠き２４ａの内周の寸法よりも一回り小さくなるように形成されている。
【００２４】
なお、「弾性を有する樹脂」としてはプラスチックや金属など適宜の材料を用いてよい。また、弾性を有する材料を用いるのは係止爪２７のみに限らず、第１突出部材２３のみ又は係止爪２７及び第１突出部材２３の両方を弾性を有する材料によって形成してもよい。
【００２５】
次に、上記のように構成されたパチンコ機の作用について説明する。パチンコ機２にリールユニット２０を取り付ける場合、第１突出部材２３及び第２突出部材２４の幅広面と球通路セット盤１６の背面とが略Ｖ字状となるようにリールユニット２０を移動させつつ、第１突出部材２３を左右の係合片２５と球通路セット盤１６との隙間に挿入すると、第１突出部材２３が開口１９の下方で球通路セット盤１６及び係合片２５と係合される。また、この係合に伴って、切り欠き２３ａが係合突起２６に係合する。
【００２６】
この後、リールユニット２０の第２突出部材２４が設けられた部分を、球通路セット盤１６の開口１９の下方で係合された部分を支点として、球通路セット盤１６の係止爪２７に近づくように回動させる。そして、リールユニット２０の第１突出部材２３及び第２突出部材２４の幅広面と球通路セット盤１６の背面とが略平行になるように回動させると、第２突出部材２４が係止爪２７の係止部２７ｂに形成されたガイド面２７ｃに当接する。第２突出部材２４がガイド面２７ｃに当接した状態で切り欠き２４ａと係合突起２８とが勘合するようにリールユニット２０が回動されると、係止爪２７は突出部２７ａと球通路セット盤１６との接合部分を支点に上方向に変位する。第２突出部材２４がガイド面２７ｃを乗り越えると、係止爪２７はその弾性力によって変位前の元の位置に復帰するとともに、係止面２７ｄと球通路セット盤１６の背面とによって第２突出部材２４が狭持（係合）される。このとき、切り欠き２３ａが係合突起２６に係合した状態で、切り欠き２４ａが係合突起２８に係合するので、リールユニット２０が開口１９の位置から変位してしまうことがなくなる。これにより、観察窓２２が、開口１９及び開口４ｄを通して遊技盤４の前面側に露呈されるように、リールユニット２０が遊技盤４及び球通路セット盤１６に対して位置決めされる。
【００２７】
上記のように取り付けられたリールユニット２０を取り外すには、球通路セット盤１６の開口１９の下方で係合された部分を支点として、リールユニット２０の第２突出部材２４が設けられた部分が球通路セット盤１６から離れるように回動させる。これにともない、第２突出部材２４の移動によって左右の係止爪２７が突出部２７ａと球通路セット盤１６との接合部分を支点に上方向に変位し、第２突出部材２４と係止部２７ｂとの係合が解除される。第２突出部材２４と係止部２７ｂとの係合を解除させた際に、リールユニット２０を球通路セット盤１６から離れるように上方向に移動させると、第１突出部材２３と係合片２５及び球通路セット盤１６との係合、この係合に伴う切り欠き２３ａと係合突起２６との係合が解除され、リールユニット２０が球通路セット盤１６から分離した状態となる。
【００２８】
なお、機種の入れ替えを行うにあたって、遊技盤４及び球通路セット盤１６を再使用しながらも、リールユニット２０を用いない場合には、遊技盤４の開口４ｂ及び球通路セット盤１６の開口１９を塞ぎ、第１突出部材２３及び第２突出部材２４に相当する部材が設けられ、さらに、意匠性を有する蓋を係合片２５及び係止爪２７に係合させることによって球通路セット盤１６に取り付けることが好ましい。
【００２９】
本実施形態では、球通路セット盤１６に係合片２５、係合突起２６，２８、係止爪２７を設けたが、これら全てを遊技盤４ａ又は球通路セット盤１６以外の部材に設けてもよいし、球通路セット盤１６及び遊技盤４ａの取付部の機能を互い違いにして各部材を配置するなど、適宜に設けてよい。
【００３０】
本実施形態では、リールユニット２０を交換する例を説明したが、リールユニット２０を交換するための構造と同様の取り付け構成を用いて、図柄表示装置１０のみを交換あるいはリールユニット２０及び図柄表示装置１０の両方を交換してもよい。すなわち、サブ表示を行う表示装置とメイン表示を行う表示装置とは、いずれか一方のみ交換してもよいし、あるいは両方を工具を使用せずに片手で交換自在としてもよい。
【００３１】
本実施形態では、表示装置としてリールユニット２０を例示したが、例えば、液晶パネルを用いた表示装置、可動物を用いた表示装置など遊技に関わる表示を行う表示装置であれば適宜の表示装置に本発明を適用してよい。
【産業上の利用可能性】
【００３２】
本発明は、パチンコ機に限らず他のゲーム機などに適用してもよい。
【図面の簡単な説明】
【００３３】
【図１】本発明を実施したパチンコ機の外観を示す斜視図である。
【図２】本体枠と遊技盤ユニットとを分解して示す斜視図である。
【図３】遊技盤ユニットの後面側の外観を示す斜視図である。
【図４】リールユニットの外観を示す斜視図である。
【図５】遊技盤ユニットの取付け台近傍と遊技盤ユニットに取り付けられる前のリールユニットとの外観を示す斜視図である。
【図６】遊技盤ユニットの取付け台近傍と遊技盤ユニットに取り付けられるリールユニットを示す概略断面図、及び係止部、取付け部近傍の拡大図である。
【符号の説明】
【００３４】
２  パチンコ機
４  遊技盤ユニット
４ａ  遊技盤
４ｂ  遊技領域
４ｃ．１９  開口
１１  リール
１６  球通路形成部材
１７  球通路セット盤
１８  取付け台
２０  リールユニット
２１  収納部材
２２  観察窓（表示部）
２３  第１突出部材
２３ａ，２４ａ  切り欠き
２４  第２突出部材
２５  係止片
２６，２８  係合突起
２７  係止爪
２７ａ  係止部
２７ｂ  ガイド面
２７ｃ  係止面
【図１】
2005058427.tif 000003
【図２】
2005058427.tif 000004
【図３】
2005058427.tif 000005
【図４】
2005058427.tif 000006
【図５】
2005058427.tif 000007
【図６】
2005058427.tif 000008